(57)【要約】【課題】カップリングキャパシタの充電時間中に信号処理が行えない。【解決手段】増幅回路１００は、増幅部１０および充電回路２０を備える。増幅部１０には、カップリングキャパシタＣ１を介してオーディオ信号Ｓ１が入力される。増幅部１０は、このオーディオ信号Ｓ１を増幅（減衰、あるいは単なるインピーダンス変換を含む）する。充電回路２０は、増幅回路１００の起動時にオン状態となり、増幅部１０の入力端子に接続されるカップリングキャパシタＣ１の一端１０２を充電する。【選択図】図１
2008148147.tif 000002
【特許請求の範囲】
【請求項１】
カップリングキャパシタを介して入力された信号を増幅する増幅部と、
前記増幅部の入力端子に接続される前記カップリングキャパシタの一端を充電する充電回路と、
を備えることを特徴とする増幅回路。
【請求項２】
前記増幅部は、演算増幅器を含み、
前記充電回路は、前記演算増幅器の出力端子と前記カップリングキャパシタの一端を結ぶ電流経路を形成するバイパススイッチを含むことを特徴とする請求項１に記載の増幅回路。
【請求項３】
前記カップリングキャパシタの一端と前記増幅部との間に設けられた入力スイッチをさらに備えることを特徴とする請求項２に記載の増幅回路。
【請求項４】
前記増幅部は、
前記演算増幅器の出力端子と反転入力端子の間に設けられた第１抵抗と、
前記反転入力端子と前記カップリングキャパシタの一端の間に設けられた第２抵抗と、
を含み、前記演算増幅器の非反転入力端子が所定の電位にバイアスされて反転増幅器を構成しており、
前記バイパススイッチは、前記演算増幅器の出力端子と、前記カップリングキャパシタの一端と、の間に設けられることを特徴とする請求項２に記載の増幅回路。
【請求項５】
前記増幅部は、
前記演算増幅器の出力端子と反転入力端子の間に設けられた第１抵抗と、
前記反転入力端子と前記カップリングキャパシタの一端の間に設けられた第２抵抗と、
を含み、前記演算増幅器の非反転入力端子が所定の電位にバイアスされて反転増幅器を構成しており、
前記バイパススイッチは、前記演算増幅器の出力端子と、前記第１、第２抵抗の接続点と、の間に設けられることを特徴とする請求項２に記載の増幅回路。
【請求項６】
前記増幅部は、前記演算増幅器の非反転入力端子に前記信号が入力され、前記演算増幅器の出力端子と反転入力端子の間に帰還経路が形成されて非反転増幅器を構成しており、
前記バイパススイッチは、前記演算増幅器の出力端子と、前記カップリングキャパシタの一端と、の間に設けられることを特徴とする請求項２に記載の増幅回路。
【請求項７】
前記充電回路は、出力端子が前記カップリングキャパシタの一端に接続されたボルテージフォロア回路を含むことを特徴とする請求項１に記載の増幅回路。
【請求項８】
充電の完了とともに、前記ボルテージフォロア回路の出力をハイインピーダンスとすることを特徴とする請求項７に記載の増幅回路。
【請求項９】
前記充電回路は、
第１の固定電圧が印加される第１端子と前記カップリングキャパシタの一端との間に直列に設けられた第３抵抗と第１スイッチと、
第２の固定電圧が印加される第２端子と前記カップリングキャパシタの一端との間に直列に設けられた第４抵抗と第２スイッチと、
を含むことを特徴とする請求項１に記載の増幅回路。
【請求項１０】
オーディオ信号を増幅することを特徴とする請求項１から９のいずれかに記載の増幅回路。
【請求項１１】
ひとつの半導体集積基板上に一体集積化されたことを特徴とする請求項１から９のいずれかに記載の増幅回路。
【請求項１２】
アナログのオーディオ信号を出力するオーディオ信号生成部と、
前記オーディオ信号に対して所定の信号処理を実行するオーディオ処理回路と、
前記オーディオ信号生成部と前記オーディオ処理回路との間に設けられたカップリングキャパシタと、
前記オーディオ処理回路の出力信号を出力する音声出力部と、
を備え、
前記オーディオ処理回路は、その初段に前記オーディオ信号を増幅する請求項１から９のいずれかに記載の増幅回路を含むことを特徴とするオーディオ再生装置。
【請求項１３】
請求項１２に記載のオーディオ再生装置を備えることを特徴とする電子機器。
【発明の詳細な説明】
【技術分野】
【０００１】
本発明は、交流信号を増幅する増幅回路に関する。
【背景技術】
【０００２】
オーディオ機器においては、微弱な電気信号であるオーディオ信号を増幅してスピーカやイヤホンなどの音声出力部に対して出力する。こうしたオーディオ機器では、数Ｈｚ〜数十ｋＨｚの可聴帯域の交流成分を含むアナログオーディオ信号（以下、単にオーディオ信号という）に対して、増幅、ボリウム制御、フィルタリングなどの所望の信号処理を行う信号処理回路が搭載される。
【０００３】
オーディオ信号が信号処理回路に対して入力される経路上には、直流防止用のカップリングキャパシタが設けられる。このカップリングキャパシタは、オーディオ信号の低周波成分を十分に通過させるためにサブμＦ以上という大容量が必要とされる。
一方、信号処理回路の初段には、入力インピーダンスを高くするために、増幅回路（増幅装置）が設けられる。この増幅回路は、所定のバイアス電位を基準として、オーディオ信号を増幅する。したがって、増幅回路の入力端子は所定のバイアス電位にバイアスされ、処理の対象となるオーディオ信号は、カップリングキャパシタを介して入力端子にカップリングされ、オーディオ信号がバイアス電位と重畳される。
【０００４】
【特許文献１】特開２００３−２５８５５９号公報
【発明の開示】
【発明が解決しようとする課題】
【０００５】
このような信号処理回路の起動について考察する。回路が停止状態にあるとき、カップリングキャパシタの電荷は放電されている。したがって、回路を起動する際には、カップリングキャパシタが充電され、増幅回路の入力端子の電位が、所定のバイアス電位に達するまで待機する必要があり、その間、信号処理が行えないという問題がある。カップリングキャパシタの容量が大きくなるほどこの問題は顕著となる。
【０００６】
本発明はこうした課題に鑑みてなされたものであり、その包括的な目的は、起動時間を短縮した増幅回路の提供にある。
【課題を解決するための手段】
【０００７】
本発明のある態様の増幅回路は、カップリングキャパシタを介して入力された信号を増幅する増幅部と、増幅部の入力端子に接続されるカップリングキャパシタの一端を充電する充電回路と、を備える。
【０００８】
本明細書において「増幅」とは、利得が１より大きい場合のほか、１以下の場合、すなわち「減衰」も含み、インピーダンス変換も含む。この態様によると、起動時に充電回路を利用してカップリングキャパシタを充電することにより、カップリングキャパシタを高速充電することができ、起動時間を短縮することができる。
【０００９】
増幅部は、演算増幅器を含んでもよい。充電回路は、演算増幅器の出力端子とカップリングキャパシタの一端を結ぶ電流経路を形成するバイパススイッチを含んでもよい。
この態様によれば、バイパススイッチをオンすることにより、演算増幅器のソース・シンク電流によってカップリングキャパシタを充電することができる。また、充電回路の面積が小さくて済む。
【００１０】
増幅回路は、カップリングキャパシタの一端と増幅部との間に設けられた入力スイッチをさらに備えてもよい。入力スイッチは、バイパススイッチと相補的にオンオフしてもよい。
この場合、バイパススイッチを介してカップリングキャパシタを充電する間、カップリングキャパシタの一端の電位が急激に変動しても、その変動が増幅部に入力され、ポップアップノイズが発生するのを防止できる。
【００１１】
増幅部は、演算増幅器の出力端子と反転入力端子の間に設けられた第１抵抗と、反転入力端子とカップリングキャパシタの一端の間に設けられた第２抵抗と、を含んでもよい。演算増幅器の非反転入力端子は、所定の電位にバイアスされて反転増幅器を構成しており、バイパススイッチは、演算増幅器の出力端子と、カップリングキャパシタの一端と、の間に設けられてもよい。
この場合、バイパススイッチがオンすると、第１、第２抵抗がバイパスされるため、充電経路の抵抗値が低下し、高速な充電が可能となる。
【００１２】
増幅部は、演算増幅器の出力端子と反転入力端子の間に設けられた第１抵抗と、反転入力端子とカップリングキャパシタの一端の間に設けられた第２抵抗と、を含んでもよい。演算増幅器の非反転入力端子は、所定の電位にバイアスされて反転増幅器を構成しており、バイパススイッチは、演算増幅器の出力端子と、第１、第２抵抗の接続点と、の間に設けられてもよい。
この場合、カップリングキャパシタは、バイパススイッチと第２抵抗を介して充電される。したがって第２抵抗の抵抗値を調節することにより充電速度を調節することができる。
【００１３】
増幅部は、演算増幅器の非反転入力端子に信号が入力され、演算増幅器の出力端子と反転入力端子の間に帰還経路が形成されて非反転増幅器を構成してもよい。バイパススイッチは、演算増幅器の出力端子と、カップリングキャパシタの一端と、の間に設けられてもよい。
【００１４】
ある態様において、充電回路は、出力端子がカップリングキャパシタの一端に接続されたボルテージフォロア回路を含んでもよい。
【００１５】
また、充電回路は、充電の完了とともにボルテージフォロア回路の出力をハイインピーダンスとしてもよい。このために、ボルテージフォロア回路の出力端子とカップリングキャパシタの一端の間にスイッチを設けてもよい。
この場合、カップリングキャパシタの充電が完了した後に、ボルテージフォロア回路が増幅部による信号処理に及ぼす影響を低減することができる。
【００１６】
増幅回路は、オーディオ信号を増幅してもよい。オーディオ信号を増幅する場合、カップリングキャパシタの容量が大きくなるため、充電回路による高速充電のメリットを享受することができる。
【００１７】
増幅回路は、ひとつの半導体集積基板上に一体集積化されてもよい。「一体集積化」とは、回路の構成要素のすべてが半導体基板上に形成される場合や、回路の主要構成要素が一体集積化される場合が含まれ、回路定数の調節用に一部の抵抗やキャパシタなどが半導体基板の外部に設けられていてもよい。増幅回路を１つのＩＣとして集積化することにより、回路面積を削減することができる。
【００１８】
本発明の別の態様は、オーディオ再生装置に関する。このオーディオ再生装置は、アナログのオーディオ信号を出力するオーディオ信号生成部と、オーディオ信号に対して所定の信号処理を実行するオーディオ処理回路と、オーディオ信号生成部とオーディオ処理回路との間に設けられたカップリングキャパシタと、オーディオ処理回路の出力信号を出力する音声出力部と、を備える。オーディオ処理回路は、その初段にオーディオ信号を増幅する上述のいずれかの態様の増幅回路を含む。
【００１９】
この態様によると、上述した充電回路による充電作用によって、オーディオ処理回路の起動に要する時間が短縮されるため、オーディオ信号を音声出力部から出力するまでの時間を短縮できる。
【００２０】
本発明のさらに別の態様は、電子機器である。この電子機器は、上述のオーディオ再生装置を備える。
【００２１】
なお、以上の構成要素の任意の組合せや本発明の構成要素や表現を、方法、装置、システムなどの間で相互に置換したものもまた、本発明の態様として有効である。
【発明の効果】
【００２２】
本発明に係る増幅回路によれば、起動時間を短縮できる。
【発明を実施するための最良の形態】
【００２３】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００２４】
本明細書において、「部材Ａと部材Ｂが接続された状態」とは、部材Ａと部材Ｂが物理的に直接的に接続される場合や、部材Ａと部材Ｂが、電気的な接続状態に影響を及ぼさない他の部材を介して間接的に接続される場合も含む。同様に、「部材Ａと部材Ｂの間に部材Ｃが設けられた状態」とは、部材Ａと部材Ｃ、あるいは部材Ｂと部材Ｃが直接的に接続される場合のほか、電気的な接続状態に影響を及ぼさない他の部材を介して間接的に接続される場合も含む。
【００２５】
図１は、本実施の形態に係る増幅回路１００を備えるオーディオ再生装置３００の構成を示すブロック図である。オーディオ再生装置３００は、オーディオ信号（音声信号）を出力する機能を有し、携帯電話端末、ポータブルオーディオプレイヤ、デジタルスチルカメラ、デジタルビデオカメラなどの電子機器に搭載される。オーディオ再生装置３００は、オーディオ管理ＩＣ２００、オーディオ信号生成部２１０、音声出力部２２０を備える。
【００２６】
オーディオ信号生成部２１０は、アナログのオーディオ信号Ｓ１を生成し、出力端子２０２から出力する。オーディオ信号生成部２１０により生成されるオーディオ信号Ｓ１は、電子機器に応じて異なっており、オーディオプレイヤの場合音楽やビープ音であり、携帯電話端末の場合、着信音、通話相手、その他の音声などである。
【００２７】
オーディオ管理ＩＣ２００は、オーディオ信号Ｓ１に対して所定の信号処理を実行するオーディオ処理回路として機能する。所定の信号処理は、電子機器に応じて異なっており、たとえば増幅、ボリウム制御、フィルタリングなどが例示される。オーディオ管理ＩＣ２００はひとつの半導体基板上に一体集積化されるのが好ましい。
【００２８】
カップリングキャパシタＣ１は、オーディオ信号生成部２１０とオーディオ管理ＩＣ２００との間に設けられる。音声出力部２２０は、スピーカ、ヘッドホン、イヤホンなどであり、オーディオ管理ＩＣ２００の出力信号Ｓ２を出力する。
【００２９】
オーディオ管理ＩＣ２００は、増幅回路１００、信号処理部１１０を含む。増幅回路１００は、オーディオ管理ＩＣ２００の初段に設けられており、オーディオ管理ＩＣ２００の入力バッファとしても機能する。また増幅回路１００は、オーディオ信号Ｓ１をバイアス電位Ｖｂｉａｓに重畳する。つまり、オーディオ管理ＩＣ２００の内部において、オーディオ信号Ｓ１は、バイアス電圧Ｖｂｉａｓを中心として振動する。バイアス電圧Ｖｂｉａｓは、オーディオ管理ＩＣ２００に供給される電源電圧Ｖｄｄと接地電位の中点Ｖｄｄ／２に設定される。信号処理部１１０は、増幅回路１００の出力信号Ｓ２に対して、所定の信号処理を実行する。
【００３０】
図１では、オーディオ管理ＩＣ２００、オーディオ信号生成部２１０は別個のＩＣとして構成されるが、同一のＩＣとして構成されてもよい。同一のＩＣとして構成される場合であっても、カップリングキャパシタＣ１は容量値が大きいため、外付けのチップ部品が利用されるため、出力端子２０２、入力端子１０２は、いずれの場合でも設けられる。
【００３１】
増幅回路１００は、増幅部１０、充電回路２０を含む。増幅部１０は、カップリングキャパシタＣ１を介して入力されたオーディオ信号Ｓ１を増幅する。図１の増幅部１０は、反転増幅器であり、演算増幅器１２、第１抵抗Ｒ１、第２抵抗Ｒ２を含む。第１抵抗Ｒ１は、演算増幅器１２の出力端子と反転入力端子の間に設けられる。第２抵抗Ｒ２は、反転入力端子とカップリングキャパシタＣ１の一端１０２の間に設けられる。演算増幅器１２の非反転入力端子は、所定のバイアス電位Ｖｂｉａｓでバイアスされる。増幅部１０の出力信号Ｓ２の電圧をＶ２、オーディオ信号Ｓ１の電圧振幅をＶ１とすると、
Ｖ２＝Ｖｂｉａｓ＋（Ｖｂｉａｓ−Ｖ１）×Ｒ１／Ｒ２    …（１）
が成り立つ。
【００３２】
本実施の形態に係る増幅回路１００には、充電回路２０が設けられる点を一つの特徴とする。充電回路２０は、増幅部１０の入力端子に接続されるカップリングキャパシタＣ１の一端１０２を充電する。
【００３３】
以上のように構成された増幅回路１００の動作を説明する。オーディオ再生装置３００の電源投入時、あるいはスタンバイ状態からの復帰時（以下、単に起動時という）において、入力端子１０２の電位は接地電位（０Ｖ）となっている。オーディオ再生装置３００が起動すると、充電回路２０がアクティブとなり、充電電流ＩｃによってカップリングキャパシタＣ１の一端１０２が充電される。演算増幅器１２において、反転入力端子と非反転入力端子間のイマジナリショートが成り立つから、反転入力端子の電位がバイアス電圧Ｖｂｉａｓに一致するように、カップリングキャパシタＣ１が充電される。
【００３４】
充電回路２０を設けない場合、起動時のカップリングキャパシタＣ１は、演算増幅器１２のソース電流（もしくはシンク電流）によって充電される。この場合、充電経路には、第１抵抗Ｒ１、第２抵抗Ｒ２が存在するため、カップリングキャパシタＣ１と（Ｒ１＋Ｒ２）がＣＲ回路を構成することになり、時定数τは、抵抗（Ｒ１＋Ｒ２）に比例して大きくなる。その結果、カップリングキャパシタＣ１の一端１０２の電位が上昇するまでの時間が長くなり、その間、オーディオ信号Ｓ１を増幅できないという問題が発生する。
【００３５】
これに対して、図１の増幅回路１００によれば、カップリングキャパシタＣ１を充電回路２０からの充電電流Ｉｃを利用して充電する。充電電流Ｉｃの経路には、抵抗（Ｒ１＋Ｒ２）ほど大きな抵抗成分は存在しないため、時定数τが短くなり、短時間で増幅回路１００を起動することができる。
【００３６】
図２（ａ）〜（ｃ）は、増幅回路の具体的な構成例を示す回路図である。図２（ａ）の増幅回路１００ａにおいて、充電回路２０は、バイパススイッチＳＷ１を含む。バイパススイッチＳＷ１は、演算増幅器１２の出力端子とカップリングキャパシタＣ１の一端１０２を結ぶ電流経路を形成する位置に設けられる。スイッチは、ＭＯＳＦＥＴなどのトランジスタを利用して構成することができる。図２の回路では、バイパススイッチＳＷ１は、演算増幅器１２の出力端子と、カップリングキャパシタＣ１の一端１０２と、の間に設けられる。制御部３０は、起動時においてバイパススイッチＳＷ１がオン状態とする。
【００３７】
図２（ａ）の増幅回路１００ａの動作を説明する。起動時に制御部３０は、バイパススイッチＳＷ１をオンする。その結果、演算増幅器１２の出力端子からカップリングキャパシタＣ１の端子１０２の間に、バイパススイッチＳＷ１を介した電流経路が形成される。その結果、演算増幅器１２のソース電流（もしくはシンク電流）を充電電流Ｉｃとして、カップリングキャパシタＣ１が充電され、カップリングキャパシタＣ１の一端１０２の電圧が、バイアス電圧Ｖｂｉａｓ付近まで上昇する。
【００３８】
つまり、図２（ａ）の増幅回路１００ａでは、起動時において演算増幅器１２およびバイパススイッチＳＷ１は、図１の充電回路２０として機能する。図２（ａ）の回路では、起動時に、第１抵抗Ｒ１、第２抵抗Ｒ２がバイパススイッチＳＷ１によってバイパスされ、演算増幅器１２の出力端子とカップリングキャパシタＣ１の間のインピーダンスが低下する。このときのＣＲ時定数τは、実質的にバイパススイッチＳＷ１のオン抵抗（たとえば数十Ω〜数百Ω程度）によって決まる。第１抵抗Ｒ１、第２抵抗Ｒ２の抵抗値は数百Ω〜数ｋΩ程度で構成されるため、時定数τは１桁以上短くなり、カップリングキャパシタＣ１の充電時間を大幅に短縮することができる。
また、オーディオ信号Ｓ１を増幅するための演算増幅器１２を、充電回路として利用するため、回路面積の増大を抑えることができる。
【００３９】
図２（ｂ）は、図２（ａ）の増幅回路の変形例である。図２（ｂ）の増幅回路１００ｂは、図２（ａ）の増幅回路１００ａに加えて、入力スイッチＳＷ２をさらに備える。入力スイッチＳＷ２は、入力端子１０２と第１抵抗Ｒ１の間に設けられる。制御部３０は、入力スイッチＳＷ２を、バイパススイッチＳＷ１と相補的にオンオフする。つまり、起動時には、バイパススイッチＳＷ１がオン状態、入力スイッチＳＷ２がオフ状態となり、オーディオ信号Ｓ１の増幅時には、バイパススイッチＳＷ１がオフ状態、入力スイッチＳＷ２がオン状態となる。
【００４０】
図２（ｂ）の回路によれば、図２（ａ）の回路の効果に加えて、以下の効果を得ることができる。
カップリングキャパシタＣ１が急速に充電されると、入力端子１０２の電位が急激に上昇することになる。入力端子１０２の信号が、演算増幅器１２、第１抵抗Ｒ１、第２抵抗Ｒ２を含んで構成される反転増幅器によって増幅され、増幅回路１００の後段の回路に出力されると、音声出力部２２０からポップアップノイズが出力されるため好ましくない。図２（ｂ）の回路では、起動時に入力スイッチＳＷ２をオフするため、入力端子１０２の電圧変動が増幅回路１００の後段に現れるのを好適に防止することができる。なお、図２（ａ）の回路において、ポップアップノイズを防止するためには、増幅回路１００ａの後段の回路でポップアップノイズの対策を施せばよい。
【００４１】
図２（ｃ）の回路は、図２（ａ）の変形例である。図２（ｃ）の増幅回路１００ｃにおいて、バイパススイッチＳＷ１は、演算増幅器１２の出力端子と、第１抵抗Ｒ１および第２抵抗Ｒ２の接続点と、の間に設けられる。
この場合、カップリングキャパシタＣ１は、バイパススイッチＳＷ１と第２抵抗Ｒ２を介して充電される。したがって第２抵抗Ｒ２の抵抗値を調節することにより充電速度を調節することができる。なお、図２（ｂ）の増幅回路１００ｂにおいても、図２（ｃ）と同様にバイパススイッチＳＷ１を演算増幅器１２の出力端子と、第１抵抗Ｒ１および第２抵抗Ｒ２の接続点と、の間に設けてもよい。
【００４２】
図３（ａ）、（ｂ）は、増幅回路の具体的な構成例を示す回路図である。図３（ａ）の増幅回路１００ｄにおいて、充電回路２０ｃは、ボルテージフォロア回路２２を含む。ボルテージフォロア回路２２には、バイアス電圧Ｖｂｉａｓが入力されており、ボルテージフォロア回路２２の出力端子は、スイッチＳＷ３を介してカップリングキャパシタＣ１の一端１０２に接続される。なお、図３（ａ）、（ｂ）において、増幅部１０は簡略化して示す。
【００４３】
制御部３０は、起動時にスイッチＳＷ３をオンし、通常の増幅時にはオフする。スイッチＳＷ３がオフすると、入力端子１０２から充電回路２０ｃ側を望んだインピーダンスはハイインピーダンスとなる。
【００４４】
図３（ａ）の回路によれば、起動時にスイッチＳＷ３がオンすることにより、カップリングキャパシタＣ１の一端１０２の電位が、ボルテージフォロア回路２２によってバイアス電圧Ｖｂｉａｓに近づくように充電される。ボルテージフォロア回路２２の出力インピーダンスは低いため、カップリングキャパシタＣ１は高速に充電され、起動時間を短縮することができる。
【００４５】
図３（ｂ）の回路は、図３（ａ）と充電回路の構成を異にする。増幅回路１００ｅの充電回路２０ｄは、第３抵抗Ｒ３、第４抵抗Ｒ４、スイッチＳＷ４、ＳＷ５を備える。第１端子２４には、第１の固定電圧である電源電圧Ｖｄｄが印加され、第２端子２６には、第２の固定電圧である接地電圧Ｖｄｄが印加される。第３抵抗Ｒ３、スイッチＳＷ４は、第１端子２４とカップリングキャパシタＣ１の一端１０２の間に設けられる。第４抵抗Ｒ４、スイッチＳＷ５は、第２端子２６とカップリングキャパシタＣ１の一端１０２の間に設けられる。
【００４６】
制御部３０は、起動時にスイッチＳＷ４、ＳＷ５をオンし、通常の増幅時にはオフする。スイッチＳＷ４、ＳＷ５のオン抵抗が十分に小さいと仮定すれば、カップリングキャパシタＣ１の一端１０２の電位は、Ｒ４／（Ｒ３＋Ｒ４）×Ｖｄｄまで急速に充電される。図３（ｂ）の回路によれば、第３抵抗Ｒ３、第４抵抗Ｒ４の抵抗値によって、充電電圧を調節するとともに、時定数τを調節することができる。
【００４７】
上記実施の形態は例示であり、それらの各構成要素や各処理プロセスの組合せにいろいろな変形例が可能なこと、またそうした変形例も本発明の範囲にあることは当業者に理解されるところである。
【００４８】
実施の形態では、増幅部１０として反転増幅器を用いる場合について説明したが、非反転増幅器を利用してもよい。図４（ａ）、（ｂ）は、増幅部１０の別の構成例を示す回路図である。図４（ａ）の増幅部１０ａは、演算増幅器１２を利用したボルテージフォロアで構成される。図４（ｂ）の増幅部１０ｂは、演算増幅器１２、抵抗Ｒ１０、Ｒ１１を備える。抵抗Ｒ１１は、演算増幅器１２の出力端子と反転入力端子の間に設けられ、抵抗Ｒ１０は、演算増幅器１２の反転入力端子と接地端子の間に設けられる。演算増幅器１２の非反転入力端子は、カップリングキャパシタＣ１の端子１０２と接続される。増幅部１０ａ、１０ｂはいずれも、演算増幅器１２の非反転入力端子にオーディオ信号Ｓ１が入力され、演算増幅器１２の出力端子と反転入力端子の間に帰還経路が形成されて非反転増幅器を構成している。
【００４９】
図４（ａ）、（ｂ）に示す増幅部１０ａ、１０ｂは、図１、図２（ａ）、（ｂ）、図３（ａ）、（ｂ）に示した任意の増幅部１０と置換可能である。たとえば、図２（ａ）の増幅回路１００ａの増幅部１０を図４（ａ）、（ｂ）の増幅部１０ａ、１０ｂと置換した場合、バイパススイッチＳＷ１は、演算増幅器１２の出力端子と、カップリングキャパシタＣ１の一端１０２と、の間に設けられる。
【００５０】
また、上述したさまざまな増幅部１０に使用される抵抗として、可変抵抗を利用してもよい。また、増幅部１０の前段に抵抗分圧を利用したアテネータを設けてもよい。
【００５１】
本実施の形態では、増幅回路１００の処理対象がオーディオ信号である場合について説明したが、本発明はこれに限定されるものではない。オーディオ信号に限らず、交流信号をバイアス電圧と重畳する際に、広くカップリングキャパシタが利用される。したがって、本発明は、広くカップリングキャパシタが使用される増幅回路に広く適用できる。
【図面の簡単な説明】
【００５２】
【図１】本実施の形態に係る増幅回路を備えるオーディオ再生装置の構成を示すブロック図である。
【図２】図２（ａ）〜（ｃ）は、増幅回路の具体的な構成例を示す回路図である。
【図３】図３（ａ）、（ｂ）は、増幅回路の具体的な構成例を示す回路図である。
【図４】図４（ａ）、（ｂ）は、増幅部の別の構成例を示す回路図である。
【符号の説明】
【００５３】
１０  増幅部、  １２  演算増幅器、  Ｃ１  カップリングキャパシタ、  Ｒ１  第１抵抗、  Ｒ２  第２抵抗、  ２０  充電回路、  ２２  ボルテージフォロア回路、  ＳＷ１  バイパススイッチ、  ＳＷ２  入力スイッチ、  ３０  制御部、  １００  増幅回路、  １０２  入力端子、  １１０  信号処理部、  ２００  オーディオ管理ＩＣ、  ２１０  オーディオ信号生成部、  ２２０  音声出力部、  ３００  オーディオ再生装置。  
【図１】
2008148147.tif 000003
【図２】
2008148147.tif 000004
【図３】
2008148147.tif 000005
【図４】
2008148147.tif 000006